(57)【要約】      （修正有）【課題】施工性に優れ、落石等の荷重に対して安定した構造となる落石・雪崩防護構造物とその施工方法を提供する。【解決手段】複数の杭11，11を間隔を置いて立設すると共に、その下部を埋設し、壁面12は、杭11を挿入する挿入孔を有する柱体13と、これら柱体13，13間を塞ぐ面材14とを備え、壁面12と斜面101との間に現場打ちコンクリートにより充填部３を設ける。現場で間隔を置いて杭11，11を打ち込んだら、それら杭11，11に柱体13の挿入孔を挿入して柱体13を取り付け、柱体13，13の間を面材14により塞ぎ、このように杭11と柱体13と面材14といった二次製品により現場で簡便に壁面12を構築することができる。そして、壁面12と斜面101との間に充填部３を設け、充填部３により落石・雪崩を受け止めることができる。【選択図】図１
2008082042.tif 000002
【特許請求の範囲】
【請求項１】
一側が斜面に向いた壁面を複数の杭間に設けた落石・雪崩防護構造物であって、前記複数の杭を間隔を置いて立設すると共に、その下部を埋設し、前記壁面は、前記杭を挿入する挿入孔を有する柱体と、これら柱体間を塞ぐ面材とを備え、前記壁面と斜面との間に充填部を設けたことを特徴とする落石・雪崩防護構造物。
【請求項２】
前記柱体に前記面材の縁部を挿入する縦溝を形成したことを特徴とする請求項１記載の落石・雪崩防護構造物。
【請求項３】
前記柱体を高さ方向に分割した分割柱体と前記面材とを一体に形成した面材体を複数備え、前記面材体を多段に設けて前記壁面を形成したことを特徴とする請求項１記載の落石・雪崩防護構造物。
【請求項４】
前記柱体と前記面材の少なくとも一方の下部を埋設して受働抵抗面を設けたことを特徴とする請求項１〜３のいずれか１項に記載の落石・雪崩防護構造物。
【請求項５】
前記充填部の上に緩衝材を設けたことを特徴とする請求項１〜４のいずれか１項に記載の落石・雪崩防護構造物。
【請求項６】
前記壁面の一側に現場打ちコンクリート部を設けたことを特徴とする請求項１〜５のいずれか１項に記載の落石・雪崩防護構造物。
【請求項７】
前記壁面の一側に発泡体を設けたことを特徴とする請求項１〜６のいずれか１項に記載の落石・雪崩防護構造物。
【請求項８】
請求項３記載の落石・雪崩防護構造物の施工方法において、最下段の前記面材体の少なくとも一部を埋設した後、前記分割柱体の前記挿入孔に前記杭を合わせて打ち込むことを特徴とする落石・雪崩防護構造物の施工方法。
【発明の詳細な説明】
【技術分野】
【０００１】
本発明は、落石や雪崩を防止する落石・雪崩防護構造物とその施工方法に関する。
【背景技術】
【０００２】
従来、この種のものとして、斜面などにおいて落石経路の途中に防護面を立設し、この防護面により落石を受け止めて、下方への落石を防止する防護体がある。例えば、防護壁として、主体の前に梁を設けた（例えば特許文献１）ものがあり、また、防護柵として、複数の支柱を立設し、この支柱間にロープ材を重複部により移動可能に配置し、重複部の摩擦摺動により落石の衝撃力を吸収するもの（例えば特許文献２）や、ロープ材を把持する把持具におけるロープ材の摺動により落石の衝撃力を吸収するもの（例えば特許文献３）や、ばねによりロープ材の移動を許容すると共に衝撃力を吸収するもの（例えば特許文献４）などがある。
【０００３】
また、これらの柵状の防護構造体以外にも、斜面に対向してコンクリート擁壁を構築し、このコンクリート擁壁の斜面側の面で落石・雪崩を受け止める構造がある。
【特許文献１】実公平５−３３５３３号公報
【特許文献２】特開平７−１８９２１８号公報
【特許文献３】特開２００２−３０９５１９号公報
【特許文献４】特開２００４−３３２２７８号公報（図６）
【発明の開示】
【発明が解決しようとする課題】
【０００４】
上記のようなコンクリート擁壁を構築するには、斜面の下で、基礎部分を掘削し、現場で型枠を組み、コンクリートを打設するというように、現場作業が主となるため、施工性に劣り、また、落石条件に対応した基礎と壁面とを形成しなれればならず、大型化が避けられなかった。
【０００５】
そこで、本発明は、施工性に優れ、落石等の荷重に対して安定した構造となる落石・雪崩防護構造物とその施工方法を提供することを目的とする。
【課題を解決するための手段】
【０００６】
請求項１の発明は、一側が斜面に向いた壁面を複数の杭間に設けた落石・雪崩防護構造物であって、前記複数の杭を間隔を置いて立設すると共に、その下部を埋設し、前記壁面は、前記杭を挿入する挿入孔を有する柱体と、これら柱体間を塞ぐ面材とを備え、前記壁面と斜面との間に充填部を設けたものである。
【０００７】
また、請求項２の発明は、前記柱体に前記面材の縁部を挿入する縦溝を形成したものである。
【０００８】
また、請求項３の発明は、前記柱体を高さ方向に分割した分割柱体と前記面材とを一体に形成した面材体を複数備え、前記面材体を多段に設けて前記壁面を形成したものである。
【０００９】
また、請求項４の発明は、前記柱体と前記面材の少なくとも一方の下部を埋設して受働抵抗面を設けたものである。
【００１０】
また、請求項５の発明は、前記充填部の上に緩衝材を設けたものである。
【００１１】
また、請求項６の発明は、前記壁面の一側に現場打ちコンクリート部を設けたものである。
【００１２】
また、請求項７の発明は、前記壁面の一側に発泡体を設けたものである。
【００１３】
請求項８の発明は、請求項３記載の落石・雪崩防護構造物の施工方法において、最下段の前記面材体の少なくとも一部を埋設した後、前記分割柱体の前記挿入孔に前記杭を合わせて打ち込む施工方法である。
【発明の効果】
【００１４】
請求項１の構成によれば、現場で間隔を置いて杭を打ち込んだら、それら杭に柱体の挿入孔を挿入して柱体を取り付け、柱体の間を面材により塞ぎ、このように杭と柱体と面材といった二次製品により現場で簡便に壁面を構築することができる。そして、壁面と斜面との間に充填部を設け、充填部により落石・雪崩を受け止めることができる。
【００１５】
また、請求項２の構成によれば、縦溝間に面材の端部を挿入し、落とし込むようにして面材を取り付けることができる。また、縦溝において、柱体に対して面材を平面方向に傾けたり、縦断方向に傾けたりして、平面曲線や縦断勾配に対応することができる。
【００１６】
また、請求項３の構成によれば、柱体と面材とを同時に取付施工することができる。
【００１７】
また、請求項４の構成によれば、落石等の衝撃力を受けると、受働抵抗面に前記衝撃力に対する反力が発生するから、大型の基礎などを設けなくても、安定した構造が得られる。
【００１８】
また、請求項５の構成によれば、充填部に加わる落石等の衝撃が緩衝材により緩衝され、壁面側への衝撃を緩和することができる。
【００１９】
また、請求項６の構成によれば、壁面の一側を補強することができる。
【００２０】
また、請求項７の構成によれば、壁面に加わる衝撃力を発泡体により緩衝することができる。
【００２１】
請求項８の構成によれば、面材体の挿入孔が杭の位置決め用ガイドとなり、杭の施工における作業性が向上する。
【発明を実施するための最良の形態】
【００２２】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な落石・雪崩防護構造物を採用することにより、従来にない落石・雪崩防護構造物とその施工方法が得られ、その落石・雪崩防護構造物とその施工方法について記述する。
【実施例１】
【００２３】
以下、本発明の実施例を添付図面を参照して説明する。図１〜図５は本発明の実施例１を示し、同図に示すように、落石・雪崩防護構造物１は、斜面101と被保護物たる道路102との間に設けられる壁体２と、この壁体２と斜面101との間に設けた充填部３とを備え、この充填部３は、現場打ちコンクリートやモルタルなどにより形成され、その充填部３の上に緩衝材たるサンドクッション層４を設けている。
【００２４】
前記壁体２は、左右方向に所定間隔を置いて地盤103に杭11，11…を打ち込み、これら杭11，11…の間に壁面12を設けてなる。この例では、壁面12は、前記杭11に外嵌する柱体13と、隣合う柱体13，13の間を塞ぐ面材14とを備える。前記杭11には、コンクリート杭や鋼管杭などの各種のものが用いられ、前記面材14には、コンクリート製や鋼製など各種材質のものが用いられる。尚、柱体13は杭11より短い。また、柱体13は面材14よりも厚い。
【００２５】
前記柱体13は、杭11より左右方向に幅広で、上下略一定幅を有し、その平断面中央に、前記杭11を挿入する挿入孔15が貫通形成されている。また、柱体13の左右縁には、前記面材14の縁部を挿入する縦溝16が形成され、この縦溝16を挟んで、柱体13は、前，後板部17，18を有し、道路102側の前板部17が後板部18より肉厚に形成されている。
【００２６】
前記面材14は、斜面101側が開口する略コ字形の形状をなし、道路102側の前板部21と、上下の横板部22，22とを一体に有する。そして、面材14は、その長手方向両側の縁部を、上から前記縦溝16，16に挿入し、柱体13，13の間に上下多段に設けられ、図２では、面材14を水平に配置している。
【００２７】
また、前記壁面12の後面には、現場打ちコンクリートにより、補強コンクリート部23が形成され、この補強コンクリート部23は、前記面材14内と、後板部18，18間と、この後板部18の後面に所定厚さで形成された部分とを一体に備える。
【００２８】
次に、前記落石・雪崩保護構造物１の施工方法について説明する。まず、所定間隔を置いて杭11，11…を略垂直に打ち込み、杭11の下部は地盤103に埋設する。この杭11の上端に、挿入孔15を合わせ、杭11に沿って柱体13を下し、この柱体13の下部を地盤103に埋め込み、この地盤103に埋め込んだ柱体13の部分により、受働抵抗面24を構成する。
【００２９】
柱体13の施工が済んだら、隣り合う柱体13，13の縦溝16，16に、面材14の縁部を合わせ、縦溝16，16に沿って面材14を落とし込み、面材14を上下複数段に並べて、柱体13，13の間を塞ぐ。尚、必要に応じて、下段側の面材14を地盤103に埋め込み、受動抵抗面を構成することができる。
【００３０】
このようにして、壁体２を構築した後、壁体２の後面と斜面101との間に、現場打ちコンクリートやモルタルを充填して充填部３を形成し、また、壁面12上部の後面には、現場打ちコンクリートにより、補強コンクリート部23を形成する。
【００３１】
前記充填部３の上面は、壁体２の上端より低く、その充填部３の上面に、砂を敷いてサンドクッション層４を形成する。このサンドクッション層４の上面は、壁体２の上端より低く形成され、壁体２の上端はサンドクッション層４の上面より上方に突出している。
【００３２】
このようにして構築した落石・雪崩防護構造物１にあっては、斜面101に発生した落石Ｒをサンドクッション層４により捕捉し、このサンドクッション層４により壁体２に加わる衝撃力が緩和される。また、落石Ｒの力により壁体２を道路102側に倒そうとするモーメント力が加わると、地盤103に埋設した杭11のみならず、柱体13下部の受働抵抗面24により、前記モーメント力と逆方向のモーメント力が発生するため、壁体２の安定性が向上する。
【００３３】
尚、縦溝16と面材14との間に前後方向の隙間を設け、柱体13に対して、面材14を平面上で斜めに配置し、曲線道路に対応する壁体２を構築するようにしてもよい。また、縦溝16において、柱体13に対して、面材14を縦断方向に傾け、道路102の縦断勾配に対応することもできる。
【００３４】
このように本実施例では、請求項１に対応して、一側が斜面101に向いた壁面12を複数の杭11，11間に設けた落石・雪崩防護構造物であって、複数の杭11，11を間隔を置いて立設すると共に、その下部を埋設し、壁面12は、杭11を挿入する挿入孔15を有する柱体13と、これら柱体13，13間を塞ぐ面材14とを備え、壁面12と斜面101との間に充填部３を設けたから、現場で間隔を置いて杭11，11を打ち込んだら、それら杭11，11に柱体13の挿入孔15を挿入して柱体13を取り付け、柱体13，13の間を面材14により塞ぎ、このように杭11と柱体13と面材14といった二次製品により現場で簡便に壁面12を構築することができる。そして、壁面12と斜面101との間に充填部３を設け、充填部３により落石・雪崩を受け止めることができる。
【００３５】
また、このように本実施例では、請求項２に対応して、柱体13に面材14の縁部を挿入する縦溝16を形成したから、縦溝16，16間に面材14の端部を挿入し、落とし込むようにして面材14を取り付けることができる。また、縦溝16において、柱体13に対して面材14を平面方向に傾けたり、縦断方向に傾けたりして、平面曲線や縦断勾配に対応することができる。
【００３６】
また、このように本実施例では、請求項４に対応して、柱体13と面材14の少なくとも一方の下部を埋設して受働抵抗面24を設けたから、落石Ｒ等の衝撃力を受けると、受働抵抗面24に前記衝撃力に対する反力が発生するから、大型の基礎などを設けなくても、安定した構造が得られる。
【００３７】
また、このように本実施例では、請求項５に対応して、充填部３の上に緩衝材たるサンドクッション層４を設けたから、充填部３に加わる落石Ｒ等の衝撃がサンドクッション層４により緩衝され、壁面12側への衝撃を緩和することができる。
【００３８】
また、このように本実施例では、請求項６に対応して、壁面12の一側に現場打ちコンクリート部たる補強コンクリート部23を設けたから、壁面12の一側を補強することができる。
【００３９】
また、実施例上の効果として、面材14はコ字形断面をなすから、断面性能に優れ、面材14は充填部３を構成するコンクリート及び現場打ちコンクリート部23により一体化されるから、強度的に優れた壁面12が得られる。
【実施例２】
【００４０】
図６〜図７は本発明の実施例２を示し、上記各実施例と同一部分に同一符号を付し、その詳細な説明を省略して詳述すると、この例では、下段の前記面材14を地盤103に埋め込み、この地盤103に埋め込まれた面材14の部分により、受働抵抗面25を構成している。
【００４１】
また、前記補強コンクリート部23の後面を覆うようにして、緩衝材たる発泡体として発泡性合成樹脂ブロック26を設けている。尚、その発泡性合成樹脂としては、発泡スチロール、発泡ポリエチレン、発泡ポリプロピレン、発泡ウレタンなどが例示される。
【００４２】
しがって、落石Ｒが壁体２の後面に衝突しても、その衝撃力を発泡性合成樹脂ブロック26により緩衝することができ、また、受働抵抗面25を大きく取ることができるので、更に安定性を向上することができる。
【００４３】
このように本実施例においても、上記各実施例と同様な作用・効果を奏する。
【００４４】
また、このように本実施例では、請求項７に対応して、壁面12の一側に発泡体たる発泡性合成樹脂ブロック26を設けたから、壁面12に加わる衝撃力を発泡性合成樹脂ブロック26により緩衝することができる。
【００４５】
また、実施例上の効果として、現場打ちコンクリート部たる補強コンクリート部23の一側に発泡体たる発泡性合成樹脂ブロック26を設けたから、補強コンクリート部23を設けた壁面12に加わる衝撃力を発泡性合成樹脂ブロック26により緩衝することができる。
【実施例３】
【００４６】
図８〜図１１は本発明の実施例３を示し、上記各実施例と同一部分に同一符号を付し、その詳細な説明を省略して詳述すると、この例の落石・雪崩防護構造物１は、柱体と面材とを一体に設けた面材体31を用いており、この面材体31は、杭11，11間隔の２倍の長さを有する面材32と、この面材32に一体に設けた分割柱体33，33とを一体に有し、この分割柱体33は、前記柱体を分割したものであって、前記杭11を挿入する挿入孔34が形成されている。前記分割柱体32は平断面略方形をなし、分割柱体32の後側に前記面材32が配置され、隣り合う面材体31，31の面材32，32の縁部が、杭11，11の間で突き合わされる。
【００４７】
また、壁体２の上端には、支柱36，36…を立設し、支柱36，36間を金網などの網体37により閉塞している。尚、支柱36は挿入孔34箇所に立設されている。また、緩衝材たるサンドクッション層４は、最上段の面材体31の高さまで形成され、最上段の面材体31の上端より低い。
【００４８】
また、図８及び図９に示すように、充填部３より下方の面材体31の面材32Ａは、これより上方の面材体31の面材32より薄く形成されている。すなわち、現場打ちコンクリートからなる充填部３より下方の面材32Ａは、該現場コンクリートと一体化され、単独で土圧などが加わらないから薄くて済む。
【００４９】
次に、前記落石・雪崩防護構造物１の施工方法について説明すると、まず、所定間隔を置いて杭11，11…を略垂直に打ち込み、杭11の下部は地盤103に埋設する。この杭11の上端に、挿入孔34を合わせ、杭11に沿って最下段の面材体31を下し、この面材体31の下部を地盤103に一部又は全体を埋め込み、この地盤103に埋め込んだ面材体31の部分により、受働抵抗面35を構成する。同様にして、面材体31を多段に重ねて壁面12を構築する。
【００５０】
また、他の施工方法として、最下段の面材体31を地盤103に一部又は全体を埋設し、地盤103に面材体31を位置固定する。これにより分割柱体33の挿入孔34が所定間隔で配置され、その挿入孔34に杭11の下端を挿入して位置決めし、杭11を打ち込むことができる。このようにして杭11を打ち込んだ後、杭11の上端に、挿入孔34を合わせ、杭11に沿って面材体31を下し、複数の面材体31を多段に設けて壁面12を構築する。
【００５１】
このように本実施例においても、上記各実施例と同様な作用・効果を奏する。
【００５２】
また、このように本実施例では、請求項３に対応して、柱体13を高さ方向に分割した分割柱体33と面材32又は面材32Ａとを一体に形成した面材体31を複数備え、面材体31を多段に設けて壁面12を形成したから、柱体と面材とを同時に取付施工することができ、施工性に優れたものになる。
【００５３】
また、このように本実施例の図１１の施工例に対応する請求項７では、最下段の面材体の少なくとも一部を埋設した後、分割柱体33の挿入孔34に杭11を合わせて打ち込むから、面材体31の挿入孔34が杭11の位置決め用ガイドとなり、杭11の施工における作業性が向上する。
【実施例４】
【００５４】
図１２及び図１３は本発明の実施例４を示し、上記各実施例と同一部分に同一符号を付し、その詳細な説明を省略して詳述すると、この例では道路103が傾斜すると共に曲線をなし、その傾斜に対応して、最上段の面材体31の上端31Ｔを斜めに形成している。
【００５５】
この例では、上記各実施例と同様に、面材体31は水平に配置され、道路103の傾斜に合わせて、隣り合う面材体31，31間に高低差をつけることにより、段部39を形成する。一方、最上段の面材体31の上端31Ｔを斜めに形成し、隣り合う面材体31，31の上端31Ｔを連続した傾斜に形成する。
【００５６】
このように本実施例でも、上記各実施例と同様な作用・効果を奏し、また、このように本実施例では、最上段の面材体31の上端31Ｔを道路103の傾斜に対応して形成することにより、壁面12の上端が連続した傾斜に形成することができる。
【００５７】
なお、本発明は、前記実施例に限定されるものではなく、種々の変形実施が可能である。例えば、充填部にはコンクリート以外にモルタルなどを充填してもよい。また、杭の間に設ける面材の数は複数が好ましいが、柱体に対応した高さ有する１枚の面材でもよい。
【図面の簡単な説明】
【００５８】
【図１】本発明の実施例１を示す断面図である。
【図２】同上、一部を断面にした正面図である。
【図３】同上、要部の平面図である。
【図４】同上、柱体と面材の側面図である。
【図５】同上、壁体上部の断面図である。
【図６】本発明の実施例２を示す一部を断面にした正面図である。
【図７】同上、壁体上部の断面図である。
【図８】本発明の実施例３を示す断面図である。
【図９】同上、面材体の平面図であり、図９（Ａ）は上方の面材体、図９（Ｂ）は下方の面材体である。
【図１０】同上、一部を断面にした正面図である。
【図１１】同上、施工手順の一例を示す一部を断面にした正面図である。
【図１２】本発明の実施例４を示す一部を断面にした正面図である。
【図１３】同上、平面図である。
【符号の説明】
【００５９】
１  落石・雪崩防護構造物
２  壁体
３  充填部
４  サンドクッション層（緩衝材）
11  杭
12  壁面
13  柱体
14  面材
15  挿入孔
16  縦溝
23  補強コンクリート部（現場打ちコンクリート部）
24  受働抵抗面
25  受働抵抗面
26  発泡体
31  面材体
32  面材
33  分割柱体
34  挿入孔
35  受働抵抗面
Ｒ  落石
【図１】
2008082042.tif 000003
【図２】
2008082042.tif 000004
【図３】
2008082042.tif 000005
【図４】
2008082042.tif 000006
【図５】
2008082042.tif 000007
【図６】
2008082042.tif 000008
【図７】
2008082042.tif 000009
【図８】
2008082042.tif 000010
【図９】
2008082042.tif 000011
【図１０】
2008082042.tif 000012
【図１１】
2008082042.tif 000013
【図１２】
2008082042.tif 000014
【図１３】
2008082042.tif 000015